【手続補正書】
【提出日】平成16年4月22日(2004.4.22)
【手続補正１】
【補正対象書類名】明細書
【補正対象項目名】発明の名称
【補正方法】変更
【補正の内容】
【発明の名称】情報処理方法および装置


【手続補正２】
【補正対象書類名】明細書
【補正対象項目名】特許請求の範囲
【補正方法】変更
【補正の内容】
【特許請求の範囲】
【請求項１】
所定のシステムに、ユーザからアクセスが行われた場合、そのアクセスが前記ユーザ本人により行われたものであるのか否かを確認する情報処理方法において、
前記ユーザを特定する第１の特定情報が入力された場合、前記第１の特定情報を、前記ユーザに対して事前に発行され、登録されている、前記ユーザを特定する第２の特定情報と照合する第１照合ステップと、
前記第１照合ステップにおいて前記第１の特定情報と前記第２の特定情報の対応が確認された場合、前記第１の特定情報が、前記ユーザ本人によって入力されたものであるか否かを確認する確認情報にアクセスするためのアクセス情報を発行する発行ステップと、
前記アクセス情報を、前記ユーザに通知する通知ステップと
を備えることを特徴とする情報処理方法。
【請求項２】
前記通知ステップにおいては、電子メールにより、前記アクセス情報を通知する
ことを特徴とする請求項１に記載の情報処理方法。
【請求項３】
前記システムは、インターネットに接続されたサーバである
ことを特徴とする請求項１に記載の情報処理方法。
【請求項４】
前記確認情報は、インターネットに接続されたサーバに開設されたホームページである
ことを特徴とする請求項１に記載の情報処理方法。
【請求項５】
前記アクセス情報は、前記ホームページのURLと、前記第１の特定情報に続いて前記ユーザから入力された申込情報に対応するテンポラリパスワードである
ことを特徴とする請求項４に記載の情報処理方法。
【請求項６】
前記テンポラリパスワードが入力された場合、入力された前記テンポラリパスワードを、前記アクセス情報中のテンポラリパスワードと照合する第２照合ステップと、
前記第２照合ステップにおいて前記テンポラリパスワードと前記アクセス情報中のテンポラリパスワードの対応が確認された場合、前記申込情報を前記ユーザに提示し、前記ユーザの承認を受付ける承認受付ステップと
をさらに備えることを特徴とする請求項５に記載の情報処理方法。
【請求項７】
所定のシステムに、ユーザからアクセスが行われた場合、そのアクセスが前記ユーザ本人により行われたものであるのか否かを確認する情報処理装置において、
前記ユーザを特定する第１の特定情報が入力された場合、前記第１の特定情報を、前記ユーザに対して事前に発行され、登録されている、前記ユーザを特定する第２の特定情報と照合する第１照合手段と、
前記第１照合手段において前記第１の特定情報と前記第２の特定情報の対応が確認された場合、前記第１の特定情報が、前記ユーザ本人によって入力されたものであるか否かを確認する確認情報にアクセスするためのアクセス情報を発行する発行手段と、
前記アクセス情報を、前記ユーザに通知する通知手段と
を備えることを特徴とする情報処理装置。
【手続補正３】
【補正対象書類名】明細書
【補正対象項目名】０００１
【補正方法】変更
【補正の内容】
【０００１】
【発明の属する技術分野】
本発明は、情報処理方法および装置に関し、特に、インターネットに接続されたサーバに、ユーザを特定する特定情報が入力された場合、その特定情報は、その特定情報から特定されるユーザ本人によって入力が行われたものであるのか否かを確認するために、ユーザ本人の電子メールアドレス宛に、確認用ホームページのURLとテンポラリパスワードを通知することにより、入力された特定情報の内容をユーザ本人が確認できるようにした情報処理方法および装置に関する。


【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
【課題を解決するための手段】
請求項１に記載の情報処理方法は、所定のシステムに、ユーザからアクセスが行われた場合、そのアクセスがユーザ本人により行われたものであるのか否かを確認する情報処理方法において、ユーザを特定する第１の特定情報が入力された場合、第１の特定情報を、ユーザに対して事前に発行され、登録されている、ユーザを特定する第２の特定情報と照合する第１照合ステップと、第１照合ステップにおいて第１の特定情報と第２の特定情報の対応が確認された場合、第１の特定情報が、ユーザ本人によって入力されたものであるか否かを確認する確認情報にアクセスするためのアクセス情報を発行する発行ステップと、アクセス情報を、ユーザに通知する通知ステップとを備えることを特徴とする。


【手続補正６】
【補正対象書類名】明細書
【補正対象項目名】０００８
【補正方法】変更
【補正の内容】
【０００８】
請求項７に記載の情報処理装置は、所定のシステムに、ユーザからアクセスが行われた場合、そのアクセスがユーザ本人により行われたものであるのか否かを確認する情報処理装置において、ユーザを特定する第１の特定情報が入力された場合、第１の特定情報を、ユーザに対して事前に発行され、登録されている、ユーザを特定する第２の特定情報と照合する第１照合手段と、第１照合手段において第１の特定情報と第２の特定情報の対応が確認された場合、第１の特定情報が、ユーザ本人によって入力されたものであるか否かを確認する確認情報にアクセスするためのアクセス情報を発行する発行手段と、アクセス情報を、ユーザに通知する通知手段とを備えることを特徴とする。


【手続補正７】
【補正対象書類名】明細書
【補正対象項目名】０００９
【補正方法】変更
【補正の内容】
【０００９】
請求項１に記載の情報処理方法においては、第１照合ステップが、ユーザを特定する第１の特定情報が入力された場合、第１の特定情報を、ユーザに対して事前に発行され、登録されている、ユーザを特定する第２の特定情報と照合し、発行ステップが、第１照合ステップにおいて第１の特定情報と第２の特定情報の対応が確認された場合、第１の特定情報が、ユーザ本人によって入力されたものであるか否かを確認する確認情報にアクセスするためのアクセス情報を発行し、通知ステップが、アクセス情報をユーザに通知する。


【手続補正８】
【補正対象書類名】明細書
【補正対象項目名】００１０
【補正方法】変更
【補正の内容】
【００１０】
請求項７に記載の情報処理装置においては、第１照合手段が、ユーザを特定する第１の特定情報が入力された場合、第１の特定情報を、ユーザに対して事前に発行され、登録されている、ユーザを特定する第２の特定情報と照合し、発行手段が、第１照合手段において第１の特定情報と第２の特定情報の対応が確認された場合、第１の特定情報が、ユーザ本人によって入力されたものであるか否かを確認する確認情報にアクセスするためのアクセス情報を発行し、通知手段が、アクセス情報をユーザに通知する。


【手続補正９】
【補正対象書類名】明細書
【補正対象項目名】００１２
【補正方法】変更
【補正の内容】
【００１２】
すなわち、請求項７に記載の情報処理装置は、所定のシステムに、ユーザからアクセスが行われた場合、そのアクセスがユーザ本人により行われたものであるのか否かを確認する情報処理装置において、ユーザを特定する第１の特定情報が入力された場合、第１の特定情報を、ユーザに対して事前に発行され、登録されている、ユーザを特定する第２の特定情報と照合する第１照合手段（例えば、図２の第１照合部２３）と、第１照合手段において第１の特定情報と第２の特定情報の対応が確認された場合、第１の特定情報は、ユーザ本人によって入力されたものであるか否かを確認する確認情報にアクセスするためのアクセス情報を発行する発行手段（例えば、図２の発行部２５）と、アクセス情報を、ユーザに通知する通知手段（例えば、図２の通知部２６）とを備えることを特徴とする。


【手続補正１０】
【補正対象書類名】明細書
【補正対象項目名】００１９
【補正方法】変更
【補正の内容】
【００１９】
ユーザ３が、確認用ホームページ２１２にアクセスしたとき、受信部２２は、ユーザ３が送信したテンポラリパスワードを受信し、テンポラリパスワードを第２照合部２６に送出するようになされている。第２照合部２７は、受信部２２から送られてきたテンポラリパスワードを、発行部２５から送られてきたテンポラリパスワードと照合し、その照合結果とテンポラリパスワードを承認受付部２８に送出するようになされている。承認受付部２８は、送られてきたテンポラリパスワードに対応する申込情報を表示部２１に出力する。表示部２１は送られてきた申込情報、承認を表す”OK”ボタン、および不承認を表す”キャンセル”ボタンをユーザ端末４に表示させるようになされている。ユーザ３が申込情報を確認して、承認を表す”OK”ボタンをクリックすると、受信部２２がその信号を受信し、承認受付部２８に出力する。承認受付部２８は、処理進行の信号を申込処理部２９に送出する。申込処理部２９は、処理進行の信号を受け取ると、保持していた申込情報の処理を進行するようになされている。
【手続補正１１】
【補正対象書類名】明細書
【補正対象項目名】００３３
【補正方法】変更
【補正の内容】
【００３３】
【発明の効果】
以上のように、本発明によれば、所定のシステムに、ユーザを特定する第１の特定情報が入力された場合、第１の特定情報を、ユーザに対して事前に発行され、登録されている、ユーザを特定する第２の特定情報と照合し、第１の特定情報と第２の特定情報の対応が確認された場合、第１の特定情報が、ユーザ本人によって入力されたものであるか否かを確認する確認情報にアクセスするためのアクセス情報を発行し、アクセス情報を、ユーザに通知するようにしたので、第三者による偶然または故意による本人へのなりすましを防止することができる。